(57)【要約】【課題】通信識別データの設定を、通信識別データの秘匿性を維持しつつ、ユーザに意識させることなく自動的に行うことが出来る無線通信システムを提供する。【解決手段】二次電池の電力で動作可能な音声受信器２と、この音声受信器２を設置可能な設置部４１を有する音声送信器４とを備えた無線通信システムである。音声受信器２は、充電用電圧を入力するための充電入力端子Ｊ１，Ｊ２と、設置部４１に設置されたことを検出する設置検出端子Ｊ３と、信号の送受信を行うための通信端子Ｊ４とを備え、音声送信器４は、充電用電圧を出力するための充電出力端子Ｒ１，Ｒ２と、音声受信器２が設置されたことを検出する設置検出端子Ｒ３と、信号の送受信を行うための通信端子Ｒ４とを備え、設置検出端子Ｒ３，Ｊ３の接続に基づいて通信端子Ｒ４，Ｊ４を介して通信識別データが送受信される構成とした。【選択図】図３
2008228188.tif 000002
【特許請求の範囲】
【請求項１】
二次電池の電力で動作可能な音声受信器と、この音声受信器を設置可能な設置部を有する音声送信器と、を備えた無線通信システムにおいて、
前記音声受信器は、
無線通信可能な第１無線通信手段と、
前記第１無線通信手段の受信信号から音声信号を生成する信号処理回路と、
音声出力又は音声信号の出力を行う音声出力部と、
前記音声送信器から前記二次電池の充電用電圧を入力するための充電入力端子と、
前記設置部に設置されたことを検出する第１設置検出手段と、
前記充電入力端子を介して信号の送受信を行うための有線通信手段と、
無線通信に必要な通信識別データの設定処理を行う第１制御手段と、
を備え、
前記音声送信器は、
無線伝送用の音声信号又は音声データを生成する信号処理回路と、
前記無線伝送用の音声信号又は音声データを無線送信する第２無線通信手段と、
前記音声受信器が前記設置部に設置された場合に前記充電入力端子に接続されて前記二次電池の充電用電圧を出力するための充電出力端子と、
前記設置部に前記音声受信器が設置されたことを検出する第２設置検出手段と、
前記充電出力端子を介して信号の送受信を行うための有線通信手段と、
無線通信に必要な通信識別データの設定処理を行う第２制御手段と、
を備え、
前記第１制御手段および前記第２制御手段は、前記第１設置検出手段および前記第２設置検出手段の検出に基づいて、前記充電入力端子と前記充電出力端子とを介して通信識別データの送受信を行って通信識別データの設定を行うことを特徴とする無線通信システム。
【請求項２】
二次電池と第１無線通信手段とを有し前記二次電池の電力で動作可能な第１機器と、該第１機器を設置可能な設置部と第２無線通信手段とを有する第２機器と、を備えた無線通信システムにおいて、
前記第１機器には、
前記第２機器から前記二次電池の充電用電圧を入力するための充電入力端子と、
前記第２機器との間で有線信号を入力又は出力するための第１信号端子と、
が設けられ、
前記第２機器には、
前記第１機器へ前記二次電池の充電用電圧を出力するための充電出力端子と、
前記第１機器との間で有線信号を入力又は出力するための第２信号端子と、
が設けられ、
前記第１機器を前記第２機器の設置部に設置したときに前記充電入力端子と前記充電出力端子とが接続され、且つ、前記第１信号端子と前記第２信号端子とが接続されるように構成されるとともに、
前記第１機器と前記第２機器の少なくとも何れか一方には、
前記設置部への前記第１機器の設置を検出する設置検出手段と、
前記第１無線通信手段と前記第２無線通信手段との無線通信に必要な通信識別データの設定処理を行う制御手段とが設けられ、
前記制御手段は、前記設置検出手段の検出に基づき前記第１信号端子と前記第２信号端子とを介して通信識別データの送受信を行って該通信識別データの設定を行うことを特徴とする無線通信システム。
【請求項３】
前記第１信号端子が前記充電入力端子と共通にされ、
前記第２信号端子が前記充電出力端子と共通にされていることを特徴とする請求項２記載の無線通信システム。
【請求項４】
前記第１機器は、前記無線通信手段を介して音声信号又は音声データを受信してアナログの音声信号を出力する音声受信器であり、
前記第２機器は、前記無線通信手段を介して音声信号又は音声データを送信する音声送信器であることを特徴とする請求項２又は３記載の無線通信システム。
【発明の詳細な説明】
【技術分野】
【０００１】
この発明は、二次電池で動作可能な第１機器と、第１機器が設置されて充電用電圧の供給を行う第２機器とを備え、これら第１機器と第２機器との間で無線通信を行う無線通信システムに関する。
【背景技術】
【０００２】
無線通信機器においては、見知らぬ通信機器と無制限に無線通信が行われてしまうのを防ぐために通信識別データを設定し、この通信識別データを用いて通信対象を制限するのが一般である。通信識別データとしては、無線伝送される送信データのヘッダ等に付加されるペアリングＩＤや、無線伝送される送信データの暗号化に使われる暗号キーデータなどがある。
【０００３】
複数の通信機器に無線通信用の識別データを設定するのは、ユーザにとって煩雑な作業である。そのため、このような設定を、簡単な操作で半自動的に行えるようにする種々の提案が以前よりなされている。また、通信識別データは、第三者の無線通信機器に勝手に設定されると意図しない無線通信が勝手に行われてしまうことから、秘匿性を要するものである。従って、通信識別データを半自動的に設定する機能を付加する場合には、通信識別データが第三者に簡単に傍受されないようにする必要がある。
【０００４】
また、近年、例えば、ワイヤレスヘッドフォンシステムなど、二次電池で動作可能なヘッドフォン装置（或いはヘッドフォン端子を有したワイヤレス受信器）と、ヘッドフォン装置を設置してその二次電池へ充電を行うクレードルを備え、クレードルからヘッドフォン装置へ無線通信により音声信号を送信するようにしたシステムが知られている。
【０００５】
また、本発明に関連する従来技術として、次のような技術の開示があった。例えば、特許文献１には、携帯電話がホルダにセットされたときにカーオーディオと携帯電話との無線通信を自動的に開始させるシステムが開示されている。また、特許文献２には、無線通信を行うワイヤレスヘッドフォンとワイヤレスプレーヤとを共に１個の充電器に載せた場合に、充電器のコネクタを介してヘッドフォンとプレーヤとの間で無線通信の認証情報をやり取りできるシステムが開示されている。また、特許文献３には、ヘッドセットをクレードルにセットしたときにヘッドセットとプログラミングステーションとの間で通信が開始される技術が開示されている。また、特許文献４には、携帯電話を設置することで携帯電話から音楽再生信号を受けてスピーカ出力するシステムについて開示されている。
【特許文献１】特開２００４−３１２５３８号公報
【特許文献２】特開２００５−０９４０９７号公報
【特許文献３】特開２００５−５０１４３３号公報
【特許文献４】特開２００１−２８５４１７号公報
【発明の開示】
【発明が解決しようとする課題】
【０００６】
通信識別データの半自動的な設定機能を備えた従来の通信機器では、例えば、無線通信を行わせる一方の通信機器と他方の通信機器とでほぼ同時にボタンを押して通信識別データのやり取りを行わせるなど、何かしら設定用の操作をユーザに行わせる必要があった。
【０００７】
この発明の目的は、通信識別データの設定処理を、ユーザに意識させることなく、自動的に且つ高い秘匿性を保って実行することのできる無線通信システムを提供することにある。
【課題を解決するための手段】
【０００８】
本発明は、上記目的を達成するため、二次電池と第１無線通信手段とを有し前記二次電池の電力で動作可能な第１機器と、該第１機器を設置可能な設置部と第２無線通信手段とを有する第２機器と、を備えた無線通信システムにおいて、前記第１機器には、前記第２機器から前記二次電池の充電用電圧を入力するための充電入力端子と、前記第２機器との間で有線信号を入力又は出力するための第１信号端子とが設けられ、前記第２機器には、前記第１機器へ前記二次電池の充電用電圧を出力するための充電出力端子と、前記第１機器との間で有線信号を入力又は出力するための第２信号端子とが設けられ、前記第１機器を前記第２機器の設置部に設置したときに前記充電入力端子と前記充電出力端子とが接続され、且つ、前記第１信号端子と前記第２信号端子とが接続されるように構成されるとともに、前記第１機器と前記第２機器の少なくとも何れか一方には、前記設置部への前記第１機器の設置を検出する設置検出手段と、前記第１無線通信手段と前記第２無線通信手段との無線通信に必要な通信識別データの設定処理を行う制御手段とが設けられ、前記制御手段は、前記設置検出手段の検出に基づき前記第１信号端子と前記第２信号端子とを介して通信識別データの送受信を行って該通信識別データの設定を行う構成とした。
【０００９】
このような手段によれば、第１機器を第２機器の設置部に設置することで、自動的に通信識別データを第１機器と第２機器との間で送受信して設定処理することが出来るので、この設定処理をユーザに意識させることなく行って、第１機器と第２機器との無線通信を可能な状態に設定することが出来る。また、通信識別データは第１信号端子と第２信号端子とを介した有線により送受信されるため、通信識別データの秘匿性を保って高いセキュリティを実現できる。
【００１０】
望ましくは、前記第１信号端子が前記充電入力端子と共通にされ、前記第２信号端子が前記充電出力端子と共通にされている構成とすると良い。
【００１１】
このような構成により、第１機器や第２機器の設置部に設けられる端子数の削減を図ることが出来る。
【００１２】
具体的には、前記第１機器は、前記無線通信手段を介して音声信号又は音声データを受信してアナログの音声信号を出力する音声受信器であり、前記第２機器は、前記無線通信手段を介して音声信号又は音声データを送信する音声送信器である無線通信システムに適用すると良い。
【００１３】
このような構成により、ワイヤレスで音声の送受信を行うシステムにおいて、その音声送信器と音声受信器との無線通信の設定を自動化することが出来る。
【発明の効果】
【００１４】
以上説明したように、本発明に従うと、第１機器を第２機器の設置部に設置するといった行為をトリガーとして、無線通信を可能とする通信識別データの設定を自動的に行うことができるという効果がある。また、この設定処理の際に、通信識別データは信号端子を介した有線信号によりやり取りされるので、通信識別データを無線伝送するのと比較して高い秘匿性を保つことが出来るという効果がある。
【発明を実施するための最良の形態】
【００１５】
以下、本発明の実施の形態を図面に基づいて説明する。
【００１６】
［第１実施形態］
図１は、本発明の第１実施形態の充電スタンド付き音声送信器４の全体構成を示すブロック図、図２は、第１実施形態の音声受信器２の全体構成を示すブロック図、図３は、音声受信器２と音声送信器４の外観を示す斜視図である。
【００１７】
この実施形態の無線通信システムとしてのワイヤレス音声伝送システム１は、図３に示すように、無線通信により音声データを受信してヘッドフォン接続端子２１に音声信号を出力する音声受信器２と、音声受信器２へ音声データを無線伝送するとともに音声受信器２の充電機能を備えた音声送信器４とから構成される。
【００１８】
音声送信器４は、図３に示すように、音声受信器２の底面部が挿入されて音声受信器２を設置可能な設置部４１を備え、該設置部４１には音声受信器２に充電用電圧を供給する充電端子Ｒ１，Ｒ２と、音声受信器２の設置を検出するための設置検出端子Ｒ３と、信号の出力を行う第２信号端子としての通信端子Ｒ４とが設けられている。
【００１９】
また、音声送信器４には、図１に示すように、音声信号を入力する音声入力端子４２と、音声入力端子４２からの信号を入力する入力回路４３と、入力した音声信号を無線伝送用のデータ（例えば圧縮音声データなど）に符号化する信号処理回路４４と、機器の全体的な制御を行うコントローラ４５と、無線通信用のペアリングＩＤが設定される例えばフラッシュメモリなどの記憶装置４６と、アンテナＡＮ１を介して無線信号の送受信処理を行う無線送受信回路４７と、各部の動作電圧や充電用の電圧を生成する電源回路４８と、充電端子Ｒ１，Ｒ２に充電用電圧の出力制御を行う充電用制御回路４９等が設けられている。
【００２０】
コントローラ４５は、内部にＣＰＵ（中央演算処理装置）、制御プログラムや制御データを格納したＲＯＭ（Read Only Memory）、ＣＰＵに作業用のメモリ空間を与えるＲＡＭ（Random Access Memory）、データや各種信号の入出力を行うＩ／Ｏ等を備え、制御プログラムの実行により各部の制御を行うようになっている。また、上記の制御プログラムには、音声受信器２が設置部４１に設置された際に開始される通信識別データとしてのペアリングＩＤの設定処理のプログラムが含まれている。
【００２１】
無線送受信回路４７は、記憶装置４６に設定されているペアリングＩＤを使用して無線通信を行うように構成されている。例えば、このペアリングＩＤをヘッダーに付加して無線信号の送信を行ったり、このペアリングＩＤがヘッダーに付加されている無線信号の受信を行う。
【００２２】
充電用制御回路４９は、例えば、設置検出端子Ｒ３と一方の充電端子Ｒ２との導通を検出して、これらが導通された場合に、充電端子Ｒ１，Ｒ２に充電用電圧を出力するようになっている。充電用電圧が出力されると、設置検出端子Ｒ３にもその電圧が印加されることから、設置検出端子Ｒ３の電圧変化により設置部４１に音声受信器２が設置されたか否かが検出可能になっている。この設置検出端子Ｒ３の電圧変化の信号は、図示しないバッファ等を介してコントローラ４５のＩ／Ｏ端子に入力されるようになっており、これによりコントローラ４９で音声受信器２の設置の検出が可能になっている。
【００２３】
通信端子Ｒ４は、この実施の形態では信号送信のみを行う端子であり、例えば図示略の送信バッファを介してコントローラ４５の通信用Ｉ／Ｏ端子に接続されている。
【００２４】
音声受信器２は、図３に示すように、そのケース体に、ヘッドフォン接続端子２１や、音量ボタンや電源ボタンなどの操作部２２が設けられるとともに、その底面部に、充電端子Ｊ１，Ｊ２、設置部４１への設置を検出するための設置検出端子Ｊ３、信号の入力を行う第１信号端子としての通信端子Ｊ４が設けられている。これらの各端子Ｊ１〜Ｊ４は、音声受信器２を音声送信器４の設置部４１に設置させたときに送信器４側の各端子Ｒ１〜Ｒ４と接続されるようになっている。
【００２５】
また、音声受信器２は、図２に示すように、アンテナＡＮ２を介して無線信号の送受信処理を行う無線送受信回路２３と、受信した音声データの復号処理等を行ってアナログの音声信号を生成する信号処理回路２４と、音声信号の増幅処理を行うアンプ２５と、機器の全体的な制御を行うコントローラ２６と、動作電圧の供給を行う二次電池Ｐと、二次電池Ｐの充電制御を行う充電制御回路２７と、無線通信用のペアリングＩＤが設定される例えばフラッシュメモリなどの記憶装置２８等を備えている。
【００２６】
コントローラ２６は、内部にＣＰＵ、制御プログラムや制御データを格納したＲＯＭ、ＣＰＵに作業用のメモリ空間を提供するＲＡＭ、データや各種信号を入出力するＩ／Ｏが設けられ、制御プログラムの実行により各部の制御を行うようになっている。また、上記の制御プログラムには、音声受信器２が設置部４１に設置された際に開始されるペアリングＩＤの設定処理のプログラムが含まれている。
【００２７】
無線送受信回路２３は、記憶装置２８に設定されているペアリングＩＤを使用して無線通信を行うようになっている。
【００２８】
設置検出端子Ｊ３と一方の充電端子Ｊ２とは導通されており、これにより、音声受信器２を音声送信器４の設置部４１に設置した際に、音声送信器４側の設置検出端子Ｒ３と充電端子Ｒ２とを導通させて、この設置状態を検出させることが可能になっている。
【００２９】
充電制御回路２７は、充電端子Ｊ１，Ｊ２に充電用電圧が印加された場合に動作して、二次電池Ｐ側に出力される充電電流や充電電圧の制御を行って二次電池Ｐの充電を行うものである。また、充電制御回路２７に充電用電圧が印加されて動作状態となった場合には、充電制御回路２７からコントローラ２６に動作状態を表わす信号が出力されるようになっている。この信号は、音声受信器２が設置部４１に設置された状態を表わす設置検出信号となる。
【００３０】
通信端子Ｊ４は、この実施形態では信号の受信のみを行う端子とされ、図示しない受信バッファを介してコントローラ２６の通信用Ｉ／Ｏ端子に接続されている。このような構成により、音声受信器２の通信端子Ｊ４と音声送信器４の通信端子Ｒ４とが接続されることにより、音声送信器４のコントローラ４５から音声受信器２のコントローラ２６へ信号送信が可能とされる。
【００３１】
図４には、音声送信器４のコントローラ４５により実行されるペアリングＩＤの設定処理のフローチャートを、図５には、音声受信器２のコントローラ２６により実行されるペアリングＩＤの設定処理のフローチャートを示す。
【００３２】
この実施形態においては、無線通信に必要なペアリングＩＤが予め音声送信器４側の記憶装置４６に格納され、これと同一のペアリングＩＤが音声受信器２の記憶装置２８に設定されることで、両者間の無線通信が可能状態となるように構成されている。
【００３３】
図４のペアリングＩＤの設定処理は、音声送信器４のコントローラ４５に設置検出信号が入力されることにより、該コントローラ４５のＣＰＵにより開始される。この処理が開始されると、先ずステップＳ１で設置検出信号により音声受信器２の設置を再び確認し、設置が確認されなければこのままこの設定処理を終了するが、設置が確認されればステップＳ２に移行する。
【００３４】
ステップＳ２に移行したら、順次、無線送受信回路４７の無線出力を停止させ（ステップＳ２）、記憶装置４６に格納されているペアリングＩＤを読み出して通信端末Ｒ４から出力する（ステップＳ３）。そして、この設定処理を終了する。
【００３５】
図５のペアリングＩＤの設定処理は、音声受信器２のコントローラ２６に設置検出信号が入力されることにより、該コントローラ４５のＣＰＵにより開始される。この処理が開始されると、先ずステップＳ４で設置検出信号により音声受信器２の設置を再び確認し、設置が確認されなければこのままこの設定処理を終了するが、設置が確認されればステップＳ５に移行する。
【００３６】
ステップＳ５に移行したら、順次、無線送受信回路２３の無線出力を停止させ（ステップＳ５）、通信端子Ｊ４を介した信号受信により音声送信器４から送信されたペアリングＩＤの受信を行う（ステップＳ６）。次いで、受信が正常に行われたかの確認（ステップＳ７）と、記憶装置２８に設定されている以前のペアリングＩＤと今回受信したペアリングＩＤとが異なるか否かの比較処理（ステップＳ８）を行って、ペアリングＩＤが正常に受信されて以前のものと異なる場合にはこのペアリングＩＤを記憶装置２８に保存して新たな設定とする（ステップＳ９）。そして、この設定処理を終了する。一方、正常に受信されなかった場合や、以前のものと同一のＩＤであった場合には新たな設定変更を行わずにこの設定処理を終了する。
【００３７】
以上のように、この実施形態のワイヤレス音声伝送システムによれば、図４と図５の設定処理により、例えば、新たに購入した音声受信器２を音声送信器４とペアリングさせて無線通信させたいときなどに、音声受信器２を音声送信器４の設置部４１に設置して充電を行わせるだけで、音声送信器４から音声受信器２にペアリングＩＤが送られてその設定が行われる。従って、ユーザは、ペアリングＩＤの設定処理を意識することなく、このような設定を自動的に行って、機器の無線通信を可能な状態にすることが出来る。また、このペアリングＩＤの設定の際、ペアリングＩＤは有線信号により送られるので、ペアリングＩＤの秘匿性を保ち、高いセキュリティを実現することができる。
【００３８】
また、上記のような設定処理は、充電のため音声受信器２を音声送信器４の設置部４１に設置するたびに実行されるが、同一のペアリングＩＤが設定されているときには記憶装置２８のペアリングＩＤの書き換えを行わないので、無駄な動作が省けて、正常な設定を誤って壊してしまうといった不都合も回避することが出来る。
【００３９】
なお、この実施形態においては、音声送信器４のコントローラ４５と音声受信器２のコントローラ２６とで通信を行ってペアリングＩＤの設定を行う構成を例示しているが、両者の間で通信を行うのではなく、音声送信器４のコントローラ４５が直接に音声受信器２の記憶装置２８へペアリングＩＤの書き込みを行ってその設定を行う構成を採用することも出来る。例えば、受信器２の通信端子Ｊ４に記憶装置２８へデータを直接に書き込むことの可能な信号線（例えばシリアルバス）を接続し、音声送信器４のコントローラ４５が通信端子Ｒ４，Ｊ４を介して記憶装置２８へペアリングＩＤを書き込ませることで、このような処理を実現することが出来る。
【００４０】
また、この実施の形態では、音声受信器２として、ヘッドフォン端子にヘッドフォンを接続して音声出力を行わせる形態を採用しているが、音声受信器にヘッドフォンの構成も付加された形態としても良い。
【００４１】
［第２実施形態］
図６には、第２実施形態のワイヤレス音声伝送システムにおける音声送信器４Ｂのブロック図を、図７には、同ワイヤレス音声伝送システムにおける音声受信器２Ｂのブロック図を示す。
【００４２】
第２実施形態のワイヤレス音声伝送システムは、図１と図２の通信端子Ｊ４，Ｒ４を無くして、充電端子Ｊ１１，Ｒ１１を用いてペアリングＩＤの送受信を行うようにしたものである。その他の構成は第１実施形態とほぼ同様であり、同様の構成については説明を省略する。
【００４３】
この実施形態の音声送信器４Ｂにおいては、設置部４１に、充電端子Ｒ１１，Ｒ２と、音声受信器２Ｂの設置を検出するための設置検出端子Ｒ３が設けられ、このうち一方の充電端子Ｒ１１がデータの送受信を行う通信端子を兼ねた構成になっている。
【００４４】
音声送信器４Ｂには、コントローラ４５から出力される送信信号を変調した上で、充電用電圧の出力線に重畳する変調＆混合器５０が設けられている。この変調＆混合器５０は、充電用制御回路４９と充電端子Ｒ１１とを結ぶ電圧線に介在されるように設けられ、この構成により、コントローラ４５からの送信信号が変調されて充電用電圧とともに充電端子Ｒ１１から出力されるようになっている。
【００４５】
音声受信器２Ｂは、設置部４１に挿入される底面部に、充電端子Ｊ１１，Ｊ２と、設置を検出するための設置検出端子Ｊ３とが設けられている。このうち、一方の充電端子Ｊ１１がデータの送受信を行う通信端子を兼ねた構成となっている。
【００４６】
音声受信器２Ｂには、充電用の供給電圧に重畳されている変調信号を分波して復調する分波＆復調器３０が設けられ、この分波＆復調器３０が充電端子Ｊ１１と充電制御回路２７との間に接続されている。そして、分波＆復調器３０により分波されて復調された受信信号がコントローラ２６に送られるようになっている。
【００４７】
このような構成によれば、上述したペアリングＩＤの設定処理（図４、図５）において、ペアリングＩＤを音声送信器４Ｂから音声受信器２Ｂへ送るときに、充電端子Ｒ１１，Ｊ１１を介してデータの送受信を行うことが出来る。このような構成により、音声送信器４Ｂの設置部４１や音声受信器２Ｂの底面部に設けられる端子数の削減を図ることが出来る。
【００４８】
［第３実施形態］
図８は、第３実施形態の音声送信器におけるペアリングＩＤ設定処理のフローチャート、図９は、第３実施形態の音声受信器２におけるペアリングＩＤ設定処理のフローチャートである。
【００４９】
第３実施形態のワイヤレス音声伝送システムは、音声送信器４と音声受信器２との間で有線信号による双方向の通信を行わせ、より確実なペアリングＩＤの設定を可能としたものである。
【００５０】
有線信号により双方向の通信を行うハードウェア構成は、次のようにして実現できる。例えば、図１の通信端子Ｒ４の信号線をコントローラ４５の双方向の通信用Ｉ／O端子に接続し、図２の通信端子Ｊ４の信号線をコントローラ２６の双方向の通信用Ｉ／O端子に接続する構成により対応可能である。また、通信端子を充電端子と共通化させる場合には、図６の変調＆混合器５０や図７の分波＆復調器３０を、共に変調機能と復調機能ならびに信号の重畳と分波の機能を有するものに変更する構成により対応することが出来る。
【００５１】
この実施形態におけるペアリングＩＤの設定処理は、次のように実行される。すなわち、先ず、音声送信器４側では、音声受信器２が設置部４１に設置されてこれが検出されると、コントローラ４５のＣＰＵにより図８の設定処理が開始される。
【００５２】
この設定処理が開始されたら、先ず、ステップＳ１１で設置検出信号により音声受信器２の設置を再度確認して、設置が確認されなければそのままこの設定処理を終了するが、設置が確認されたらステップＳ１２に移行する。ステップＳ１２に移行したら、順次、無線出力を停止させ（ステップＳ１２）、ペアリングＩＤを記憶装置４６から読み出して有線信号により音声受信器２側へ送信する（ステップＳ１３）。
【００５３】
次に、ステップＳ１４にて、音声受信器２からのアクナリッジ応答信号の受信処理を行うとともに、受信がなされたか判別を行って、受信があれば正常終了としてこの設定処理を終了する。一方、アクナリッジ応答信号の受信がなければ、ステップＳ１５の判別処理にて受信タイムアウトになるまでステップＳ１４に処理を戻すループ処理を行って受信処理とその確認を繰り返す。また、タイムアウトになったら、ステップＳ１６の判別処理で所定のリトライ数に達するまでステップＳ１４に処理を戻すループ処理を行って受信処理を繰り返す。そして、所定のリトライ数に達してもアクナリッジ応答信号が受信されなかったらペアリングＩＤの設定失敗としてこの設定処理を終了する。
【００５４】
音声受信器２では、該受信器２が設置部４１に設置されてこれが検出されると、コントローラ２６のＣＰＵにより図９の設定処理を開始する。設定処理が開始されたら、先ず、ステップＳ２１で設置検出信号により音声受信器２の設置を再度確認し、設置が確認されなければそのままこの設定処理を終了するが、設置が確認されたらステップＳ２２に移行する。そして、順次、無線出力を停止させ（ステップＳ２２）、音声送信器４から送られてくるペアリングＩＤを受信し（ステップＳ２３）、正常に受信されたか確認を行う（ステップＳ２４）。
【００５５】
そして、受信が正常に行われたら、現在、記憶装置２８に設定されているペアリングＩＤと比較して（ステップＳ２５）、異なっていれば受信したペアリングＩＤを記憶装置２８の所定領域に格納してペアリングＩＤの設定を行う（ステップＳ２６）。次いで、アクナリッジ応答信号を音声送信器４側に送信して（ステップＳ２７）、この設定処理を終了する。
【００５６】
また、ステップＳ２４の判別処理で正常受信でないと判定された場合や、ステップＳ２５の比較処理で現在のペアリングＩＤと同一であると判定された場合には、記憶装置２８へのペアリングＩＤの格納は行わずに、そのままこの設定処理を終了する。
【００５７】
以上のように、この実施の形態のワイヤレス音声伝送システムによれば、音声受信器２と音声送信器４とで有線信号を双方向で送受信できるので、例えば、ペアリングＩＤの送信後に、正常に受信されて設定がなされたことを示すアクナリッジ応答信号を返信させるなど、より確実なペアリングＩＤの設定処理を行うことが出来る。
【００５８】
なお、図８や図９の設定処理ではアクナリッジ応答信号を返信させるだけの処理となっているが、双方向通信を用いて種々の応答信号を送信させることで、より確実なペアリングＩＤの設定処理を実現することが出来る。例えば、正常な受信が行えなかった場合にエラー応答信号を返信して、それにより、ペアリングＩＤの送信を再度行わせるようにしたり、ペアリングＩＤの送信前に、双方向通信を行って受信準備が整ったか確認を行うなど、ペアリングＩＤを確実に送信し設定する種々の処理が実現可能である。
【００５９】
［第４実施形態］
図１０は、第４実施形態の音声送信器におけるペアリングＩＤ設定処理のフローチャート、図１１は、第４実施形態の音声受信器２におけるペアリングＩＤ設定処理のフローチャートである。
【００６０】
第４実施形態は、ペアリングＩＤを予め音声送信器４に設定されている一定の値とせず、音声送信器４により新規のペアリングＩＤを作成して、この新規のペアリングＩＤを音声送信器４と音声受信器２とに設定可能としたものである。音声送信器４と音声受信器２のハードウェア構成は、有線信号による双方向通信を可能にする構成を加えたほかは、第１実施形態や第２実施形態と同様の構成である。
【００６１】
この実施形態におけるペアリングＩＤの設定処理は、次のように実行される。すなわち、先ず、音声送信器４側では、音声受信器２が設置部４１に設置されてこれが検出されると、コントローラ４５のＣＰＵにより図１０の設定処理が開始される。
【００６２】
この設定処理が開始されたら、先ず、ステップＳ３１で設置検出信号により音声受信器２の設置を再度確認して、設置が確認されなければそのままこの設定処理を終了するが、設置が確認されたらステップＳ３２に移行する。ステップＳ３２に移行したら、順次、無線出力を停止させ（ステップＳ３２）、有線信号により音声受信器２側に現在のペアリングＩＤの転送要求を行い（ステップＳ３３）、有線信号により音声受信器２から現在のペアリングＩＤの受信を行う（ステップＳ３４）。そして、受信が正常に行われたかを確認し（ステップＳ３５）、受信したペアリングＩＤが記憶装置４６に格納してあるものと一致するか比較を行う（ステップＳ３６）。
【００６３】
その結果、ステップＳ３５の判別処理で正常に受信されなかったと判別されれば、そのままこの設定処理を終了する。また、ステップＳ３６の比較処理で、受信器２と送信器４の現在のペアリングＩＤが一致していると判別されれば、新たな設定は必要ないので、このままこの設定処理を終了する。
【００６４】
一方、受信が正常に行われて受信器２と送信器４の現在のペアリングＩＤが違うと判定されたら、ステップＳ３７に移行して、順次、新たなペアリングＩＤを作成し（ステップＳ３７）、この新たなペアリングＩＤを有線信号により送信する（ステップＳ３８）。その後、ステップＳ３９，Ｓ４１，Ｓ４２の処理により受信器２側からのアクナリッジ応答信号の受信確認を受信タイムアウト×リトライ数分繰り返し、その間に、アクナリッジ応答信号の受信があればステップＳ４０に移行して、記憶装置４６にこの新たなペアリングＩＤを設定する処理を行う。一方、上記の間にアクナリッジ応答信号の受信がなければそのままこの設定処理を終了する。
【００６５】
音声受信器２においては、受信器２が設置部４１に設置されてこれが検出されると、コントローラ２６のＣＰＵにより図１１の設定処理が開始される。設定処理が開始されたら、先ず、ステップＳ５１で設置検出信号により音声受信器２の設置を再度確認して、設置が確認されなければそのままこの設定処理を終了するが、設置が確認されたらステップＳ５２に移行する。そして、順次、無線出力を停止させ（ステップＳ５２）、送信器４側からの転送要求を受信し（ステップＳ５３）、記憶装置２８に設定されている現在のペアリングＩＤの送信を行い（ステップＳ５４）、その後、送信器４側から送られてくる新たなペアリングＩＤの受信処理を行う（ステップＳ５５）。
【００６６】
次いで、新たなペアリングＩＤが正常に受信されたか確認をし（ステップＳ５６）、正常に受信されなかったらこのままこの設定処理を終了するが、正常に受信されていれば、順次、この新たなペアリングＩＤを記憶装置２８に設定し（ステップＳ５７）、正常終了を知らせるアクナリッジ応答信号を送信して（ステップＳ５８）、この設定処理を終了する。
【００６７】
このような設定処理により、ペアリングＩＤの異なる音声受信器２が設置部４１に設置された場合に、新たなペアリングＩＤが自動生成されて音声受信器２と音声送信器４に設定することが出来る。また、このような設定処理によれば、同じペアリングＩＤが複数の音声受信器２に設定されることが回避されるので、例えば、音声送信器４と音声受信器２との無線通信が一対一でのみ行われるようにしたい場合などに利用することが出来る。
【００６８】
なお、本発明は、上記実施の形態に限られるものでなく、様々な変更が可能である。例えば、上記第１〜第４の実施形態では、ペアリングＩＤを音声送信器から音声受信器へ送って設定を行う構成を示したが、逆に、音声受信器から音声送信器へペアリングＩＤを送って設定を行う構成としても良い。
【００６９】
また、上記実施の形態では、音声受信器２が設置部４１に設置されたことを検出する方法として、設置検出端子Ｒ３，Ｊ３の接続により充電動作が開始されたことを検出する方法を採用しているが、例えば、専用の設置検出端子を設けて、これらの接続により検出端子の電圧等を変化させてそれを検出する方法を採用したり、あるいは、設置時に機械的に切り換るスイッチ等を設けて、このスイッチの切り換りにより、設置を検出するなど、種々の方式を採用することが出来る。
【００７０】
また、上記実施の形態では、本発明を適用する無線通信システムとして音声信号や音声データを無線伝送するシステムを例示しているが、その他、無線通信を行うシステムで一方の機器が他方の機器の充電を行う機能を有していれば、どのようなシステムでも本発明を同様に適用することが出来る。また、設定処理により設定される通信識別データとしてペアリングＩＤを例示しているが、その他、通信データの暗号化や復号化に使用される暗号キーデータや、その他の認証データなど、通信に必要な種々のデータを含むようにしても良い。また、無線通信には赤外線通信も含まれるものとする。その他、実施の形態で示した細部構成や細部の処理方法については発明の趣旨を逸脱しない範囲で適宜変更可能である。
【図面の簡単な説明】
【００７１】
【図１】本発明の第１実施形態の音声送信器の構成を示すブロック図である。
【図２】第１実施形態の音声受信器の構成を示すブロック図である。
【図３】音声受信器と音声送信器の外観を示す斜視図である。
【図４】音声送信器のコントローラにより実行されるペアリングＩＤの設定処理の処理手順を示すフローチャートである。
【図５】音声受信器のコントローラにより実行されるペアリングＩＤの設定処理の処理手順を示すフローチャートである。
【図６】第２実施形態の音声送信器の構成を示すブロック図である。
【図７】第２実施形態の音声受信器の構成を示すブロック図である。
【図８】第３実施形態の音声送信器により実行されるペアリングＩＤの設定処理のフローチャートである。
【図９】第３実施形態の音声受信器により実行されるペアリングＩＤの設定処理のフローチャートである。
【図１０】第４実施形態の音声送信器により実行されるペアリングＩＤの設定処理のフローチャートである。
【図１１】第４実施形態の音声受信器により実行されるペアリングＩＤの設定処理のフローチャートである。
【符号の説明】
【００７２】
１      ワイヤレス音声伝送システム
２      音声受信器
４      音声送信器
２１    ヘッドフォン接続端子
２３    無線送受信回路
２４    信号処理回路
２６    コントローラ
２７    充電制御回路
２８    記憶装置
Ｐ      二次電池
Ｊ１，Ｊ２  充電端子
Ｊ３    設置検出端子
Ｊ４    通信端子
Ｊ１１  通信端子を兼ねた充電端子
３０    分波＆復調器
４４    信号処理回路
４５    コントローラ
４６    記憶装置
４７    無線送受信回路
４９    充電用制御回路
Ｒ１，Ｒ２  充電端子
Ｒ３    設置検出端子
Ｒ４    通信端子
Ｒ１１  通信端子を兼ねた充電端子
【図１】
2008228188.tif 000003
【図２】
2008228188.tif 000004
【図３】
2008228188.tif 000005
【図４】
2008228188.tif 000006
【図５】
2008228188.tif 000007
【図６】
2008228188.tif 000008
【図７】
2008228188.tif 000009
【図８】
2008228188.tif 000010
【図９】
2008228188.tif 000011
【図１０】
2008228188.tif 000012
【図１１】
2008228188.tif 000013